(57)【特許請求の範囲】
【請求項１】
拡張現実（ＡＲ）ベースの仮想オブジェクトを分配し、ＡＲクライアントに適用できる方法であって、
ユーザのイメージスキャン動作に応答して、リアルタイムイメージスキャンをユーザのオフライン環境で実行することと、
スキャンによって取得したリアルシーンイメージに関連するイメージ識別を開始し、プリセットパターン識別子がリアルシーンイメージにおいて識別されるときに、ＡＲサーバから送信された電子証明書を取得し、取得した電子証明書を局所的にセーブし、前記電子証明書は、仮想オブジェクトを取得するために用いられることと、
局所的にセーブされた電子証明書のカテゴリーカウントが予め決定されたしきい値に到達したか否かを判断することと、
前記局所的にセーブされた電子証明書の前記カテゴリーカウントが前記予め決定されたしきい値に到達した場合、前記予め決定されたしきい値に等しいカテゴリーカウントを有する複数の電子証明書を含む仮想オブジェクト分配要求に基づいて、ユーザに対して設定されたプリセット仮想オブジェクトからの仮想オブジェクトを前記ＡＲサーバによって分配するために、前記仮想オブジェクト分配要求を前記ＡＲサーバに送信することと、
を備え、
前記ＡＲサーバから送信された電子証明書は、プリセットの送信規則に従って、前記ＡＲクライアントに送信された局所的なプリセットの電子証明書からの電子証明書であり、
前記局所的なプリセットの電子証明書は、少なくとも低頻度通信セットと高頻度通信セットに予め分割され、
前記ＡＲサーバから送信された電子証明書は、
ユーザの活動レベルを計算することと、
ユーザの前記活動レベルがプリセットのしきい値に到達したか否かを判断することと、
ユーザの前記活動レベルがプリセットのしきい値に到達した場合、前記低頻度通信セットからの電子証明書又は前記低頻度通信セット及び前記高頻度通信セットからの電子証明書を前記ＡＲクライアントに送信し、送信された電子証明書は、前記低頻度通信セットの少なくとも一つの電子証明書を備えることと、
によって取得される、方法。
【請求項２】
前記スキャンによって取得したリアルシーンイメージに関連する前記イメージ識別を開始し、前記プリセットパターン識別子が前記リアルシーンイメージにおいて識別されるときに、前記ＡＲサーバから送信された前記電子証明書を取得することは、
局所的なイメージ識別モデルに基づいて、スキャンされた前記リアルシーンイメージにおいて前記イメージ識別を行い、前記プリセットパターン識別子が前記リアルシーンイメージにおいて識別されたときに、前記ＡＲサーバに対する前記電子証明書を取得するための取得要求を送信することと、
前記取得要求の受信に応答して、前記ＡＲサーバから送信された前記電子証明書を取得することと、
を備える、請求項１に記載の方法。
【請求項３】
スキャンによって取得した前記リアルシーンイメージに関連する前記イメージ識別を開始し、前記プリセットパターン識別子が前記リアルシーンイメージにおいて識別されるときに、前記ＡＲサーバから送信された前記電子証明書を取得することは、
局所的なイメージ識別モデルに基づいて、前記リアルシーンイメージにおける前記イメージ識別を前記ＡＲサーバによって行うために、スキャンされた前記リアルシーンイメージを前記ＡＲサーバにアップロードすることと、
前記プリセットパターン識別子が前記リアルシーンイメージから識別されたときに、前記ＡＲサーバから送信された前記電子証明書を取得することと、
を備える、請求項１に記載の方法。
【請求項４】
他のユーザによって局所的に共有された電子証明書を取得し、取得した電子証明書を局所的にセーブすることを更に備える、請求項１に記載の方法。
【請求項５】
前記取得した電子証明書を局所的にセーブすることは、
前記取得した電子証明書に対応する表示画像を生成することと、
生成された表示画像を、スキャンされた前記リアルシーンイメージの前記プリセットパターン識別子に対応する位置に拡張表示し、前記リアルシーンイメージの前記表示画像に対応する受信オプションを出力することと、
前記受信オプションにおけるユーザのトリガ動作に応答して、生成された前記表示画像を、前記電子証明書に対応する局所的な表示位置に追加することと、を備え、
電子証明書の異なるカテゴリーに対して生成された表示画像は、互いに異なり、電子証明書の異なるカテゴリーは、異なる表示位置に対応する、請求項１に記載の方法。
【請求項６】
前記取得した電子証明書の数を前記表示位置に示すことと、
前記電子証明書の実際の残りの数に基づいて前記数を更新することと、
を更に備える、請求項５に記載の方法。
【請求項７】
表示画像におけるユーザのプリセットの前記トリガ動作が検出されたときに、ターゲットのユーザに対応する共有ページを入力し、前記共有ページは、複数のプリセットのターゲットアプリケーションを備えることと、
前記表示画像に対応する電子証明書を、前記共有ページにおいてユーザによって指定されたターゲットアプリケーションを介して、ユーザにより指定された第三者ユーザと共有することと、
を更に備える、請求項６に記載の方法。
【請求項８】
前記ＡＲサーバによって送信された仮想オブジェクトの分配結果を受信するとともに前記分配結果をユーザに対して表示することを更に備え、
前記分配結果は、
前記仮想オブジェクトの数、前記仮想オブジェクトの送信者、前記仮想オブジェクトの受信者の数及び前記仮想オブジェクトの分配規則の一つ以上を備える、請求項１に記載の方法。
【請求項９】
前記仮想オブジェクトは、仮想レッドパケットである請求項１に記載の方法。
【請求項１０】
拡張現実（ＡＲ）ベースの仮想オブジェクトを分配し、ＡＲサーバに適用できる方法であって、
ユーザが、ＡＲクライアントを用いて、オフライン環境でリアルシーンイメージスキャンを実行するときに、前記ＡＲクライアントによって取得されたリアルシーンイメージにおいてプリセットパターン識別子が識別されたか否かを判断することと、
前記リアルシーンイメージにおいてプリセットパターン識別子が識別された場合、前記ＡＲクライアントに電子証明書を送信し、前記電子証明書は、仮想オブジェクトを取得するために用いられることと、
前記ＡＲクライアントによって送信されたオブジェクト分配結果を受信し、前記オブジェクト分配結果は、オブジェクトを取得するための複数の電子証明書を含むことと、
前記オブジェクト分配結果に含まれる電子証明書のカテゴリーカウントが予め決定されたしきい値に到達したか否かを決定することと、
前記オブジェクト分配結果に含まれる電子証明書のカテゴリーカウントが予め決定されたしきい値に到達した場合、プリセットの分配規則に基づいてユーザに設定されたプリセット仮想オブジェクトから仮想オブジェクトを分配することと、
を備え、
前記ＡＲクライアントに電子証明書を送信することは、
プリセットの送信規則に従って、局所的なプリセットの電子証明書からの電子証明書を前記ＡＲクライアントに送信することを備え、
前記局所的なプリセットの電子証明書は、少なくとも低頻度通信セットと高頻度通信セットに予め分割され、
プリセットの送信規則に従って、局所的なプリセットの電子証明書からの電子証明書を前記ＡＲクライアントに送信することは、
ユーザの活動レベルを計算することと、
ユーザの前記活動レベルがプリセットのしきい値に到達したか否かを判断することと、
ユーザの前記活動レベルがプリセットのしきい値に到達した場合、前記低頻度通信セットからの電子証明書又は前記低頻度通信セット及び前記高頻度通信セットからの電子証明書を前記ＡＲクライアントに送信し、送信された電子証明書は、前記低頻度通信セットの少なくとも一つの電子証明書を備えることと、
を備える、方法。
【請求項１１】
ＡＲサーバから前記ＡＲクライアントに送信される電子証明書のカテゴリーカウントは、前記予め決定されたしきい値より小さい、請求項１０に記載の方法。
【請求項１２】
ユーザに対する前記仮想オブジェクトの分配を遂行したときに、前記ＡＲクライアントが前記仮想オブジェクトの分配結果をユーザに対して表示するために、前記仮想オブジェクトの分配結果を前記ＡＲクライアントに送信することを更に備え、
前記分配結果は、
前記仮想オブジェクトの数、前記仮想オブジェクトの送信者、前記仮想オブジェクトの受信者の数及び前記仮想オブジェクトの分配規則の一つ以上を備える、請求項１０に記載の方法。
【請求項１３】
前記仮想オブジェクトは、仮想レッドパケットである、請求項１０に記載の方法。
【請求項１４】
拡張現実（ＡＲ）ベースの仮想オブジェクトを分配し、ＡＲクライアントに適用できる装置であって、
ユーザのイメージスキャン動作に応答して、リアルタイムイメージスキャンをユーザのオフライン環境で実行するスキャンモジュールと、
スキャンによって取得したリアルシーンイメージに関連するイメージ識別を開始し、プリセットパターン識別子がリアルシーンイメージにおいて識別されるときに、ＡＲサーバから送信された電子証明書を取得し、取得した電子証明書を局所的にセーブし、前記電子証明書は、仮想オブジェクトを取得するために用いられる取得モジュールと、
局所的にセーブされた電子証明書のカテゴリーカウントが予め決定されたしきい値に到達したか否かを判断する第１の判断モジュールと、
前記局所的にセーブされた電子証明書の前記カテゴリーカウントが前記予め決定されたしきい値に到達した場合、前記予め決定されたしきい値に等しいカテゴリーカウントを有する複数の電子証明書を含む仮想オブジェクト分配要求に基づいて、ユーザに対して設定されたプリセット仮想オブジェクトからの仮想オブジェクトを前記ＡＲサーバによって分配するために、前記仮想オブジェクト分配要求を前記ＡＲサーバに送信する送信モジュールと、
を備え、
前記ＡＲサーバから送信された電子証明書は、プリセットの送信規則に従って、前記ＡＲクライアントに送信された局所的なプリセットの電子証明書からの電子証明書であり、
前記局所的なプリセットの電子証明書は、少なくとも低頻度通信セットと高頻度通信セットに予め分割され、
前記ＡＲサーバから送信された電子証明書は、
ユーザの活動レベルを計算することと、
ユーザの前記活動レベルがプリセットのしきい値に到達したか否かを判断することと、
ユーザの前記活動レベルがプリセットのしきい値に到達した場合、前記低頻度通信セットからの電子証明書又は前記低頻度通信セット及び前記高頻度通信セットからの電子証明書を前記ＡＲクライアントに送信し、送信された電子証明書は、前記低頻度通信セットの少なくとも一つの電子証明書を備えることと、
によって取得される、装置。
【請求項１５】
前記取得モジュールは、
局所的なイメージ識別に基づいて、スキャンされた前記リアルシーンイメージにおいて前記イメージ識別を行い、前記プリセットパターン識別子が前記リアルシーンイメージにおいて識別されたときに前記ＡＲサーバに対する前記電子証明書を取得するための取得要求を送信し、
前記取得要求の受信に応答して、前記ＡＲサーバから送信された前記電子証明書を取得する、請求項１４に記載の装置。
【請求項１６】
前記取得モジュールは、
局所的なイメージ識別モデルに基づいて、前記リアルシーンイメージにおける前記イメージ識別を前記ＡＲサーバによって行うために、スキャンされた前記リアルシーンイメージを前記ＡＲサーバにアップロードし、
前記プリセットパターン識別子が前記リアルシーンイメージから識別されたときに、前記ＡＲサーバから送信された前記電子証明書を取得する、請求項１４に記載の装置。
【請求項１７】
前記取得モジュールは、さらに、
他のユーザによって局所的に共有された電子証明書を取得し、取得した電子証明書を局所的にセーブする、請求項１４に記載の装置。
【請求項１８】
前記取得モジュールは、さらに、
前記取得した電子証明書に対応する表示画像を生成し、
生成された表示画像を、スキャンされた前記リアルシーンイメージの前記プリセットパターン識別子に対応する位置に拡張表示し、前記リアルシーンイメージの前記表示画像に対応する受信オプションを出力し、
前記受信オプションにおけるユーザのトリガ動作に応答して、生成された前記表示画像を、前記電子証明書に対応する局所的な表示位置に追加し、
電子証明書の異なるカテゴリーに対して生成された表示画像は、互いに異なり、電子証明書の異なるカテゴリーは、異なる表示位置に対応する、請求項１４に記載の装置。
【請求項１９】
前記取得モジュールは、さらに、
前記取得した電子証明書の数を前記表示位置に示し、
前記電子証明書の実際の残りの数に基づいて前記数を更新する、請求項１８に記載の装置。
【請求項２０】
表示画像におけるユーザのプリセットの前記トリガ動作が検出されたとき、ターゲットのユーザに対応する共有ページを入力し、前記共有ページは、複数のプリセットのターゲットアプリケーションを備え、
前記表示画像に対応する電子証明書を、前記共有ページにおいてユーザによって指定されたターゲットアプリケーションを介して、ユーザにより指定された第三者ユーザと共有する共有モジュールを更に備える、請求項１９に記載の装置。
【請求項２１】
前記ＡＲサーバによって送信された仮想オブジェクトの分配結果を受信するとともに前記分配結果をユーザに対して表示する第１の受信モジュールを更に備え、
前記分配結果は、
前記仮想オブジェクトの数、前記仮想オブジェクトの送信者、前記仮想オブジェクトの受信者の数及び前記仮想オブジェクトの分配規則の一つ以上を備える、請求項１４に記載の装置。
【請求項２２】
前記仮想オブジェクトは、仮想レッドパケットである、請求項１４に記載の装置。
【請求項２３】
拡張現実（ＡＲ）ベースの仮想オブジェクトを分配し、ＡＲサーバに適用できる装置であって、
ユーザが、ＡＲクライアントを用いて、オフライン環境でリアルシーンイメージスキャンを実行するとき、前記ＡＲクライアントによって取得されたリアルシーンイメージにおいてプリセットパターン識別子が識別されたか否かを判断する第２の判断モジュールと、
前記リアルシーンイメージにおいてプリセットパターン識別子が識別された場合、前記ＡＲクライアントに電子証明書を送信し、前記電子証明書は、仮想オブジェクトを取得するために用いられる送信モジュールと、
前記ＡＲクライアントによって送信されたオブジェクト分配結果を受信し、前記オブジェクト分配結果は、オブジェクトを取得するための複数の電子証明書を含む第２の受信モジュールと、
前記オブジェクト分配結果に含まれる電子証明書のカテゴリーカウントが予め決定されたしきい値に到達したか否かを判断する第３の判断モジュールと、
前記オブジェクト分配結果に含まれる電子証明書のカテゴリーカウントが予め決定されたしきい値に到達した場合、プリセットの分配規則に基づいてユーザに設定されたプリセット仮想オブジェクトから仮想オブジェクトを分配する分配モジュールと、
を備え、
前記送信モジュールは、
プリセットの送信規則に従って、局所的なプリセットの電子証明書からの電子証明書を前記ＡＲクライアントに送信し、
前記局所的なプリセットの電子証明書は、少なくとも低頻度通信セットと高頻度通信セットに予め分割され、
プリセットの送信規則に従って、局所的なプリセットの電子証明書からの電子証明書を前記ＡＲクライアントに送信するときに、前記送信モジュールは、
ユーザの活動レベルを計算し、
ユーザの前記活動レベルがプリセットのしきい値に到達したか否かを判断し、
ユーザの前記活動レベルがプリセットのしきい値に到達した場合、前記低頻度通信セットからの電子証明書又は前記低頻度通信セット及び前記高頻度通信セットからの電子証明書を前記ＡＲクライアントに送信し、送信された電子証明書は、前記低頻度通信セットの少なくとも一つの電子証明書を備えるように更に構成される、装置。
【請求項２４】
ＡＲサーバから前記ＡＲクライアントに送信される電子証明書のカテゴリーカウントは、前記予め決定されたしきい値より小さい、請求項２３に記載の装置。
【請求項２５】
前記送信モジュールは、さらに、
ユーザに対する前記仮想オブジェクトの分配を遂行したときに、前記ＡＲクライアントが前記仮想オブジェクトの分配結果をユーザに対して表示するために、前記仮想オブジェクトの分配結果を前記ＡＲクライアントに送信し、
前記分配結果は、
前記仮想オブジェクトの数、前記仮想オブジェクトの送信者、前記仮想オブジェクトの受信者の数及び前記仮想オブジェクトの分配規則の一つ以上を備える請求項２３に記載の装置。
【請求項２６】
前記仮想オブジェクトは、仮想レッドパケットである請求項２３に記載の装置。
【発明の詳細な説明】
【技術分野】
【０００１】
本発明は、拡張現実（ＡＲ）技術の分野に関し、特に、ＡＲベースの仮想オブジェクトを分配する方法及び装置に関する。
【発明の概要】
【発明が解決しようとする課題】
【０００２】
ネットワーク技術の発展に伴い、多様な仮想オブジェクト分配方法が出現している。仮想オブジェクトの分配の一例としての「レッドパケット」の形式をとると、ユーザは、電子的なグリーティングカード、キャッシュギフト等を「レッドパケット」に入れて所定のユーザ又は受け取るべきグループの全てのメンバーのグループに分配する。しかしながら、仮想オブジェクトの分配状況が次第に多様になるに従って、仮想オブジェクトの分配の対話性及び面白さを増大する方法は、ユーザの経験を向上させるために必須である。
【課題を解決するための手段】
【０００３】
本願は、拡張現実（ＡＲ）ベースの仮想オブジェクトを分配し、ＡＲクライアントに適用できる方法であって、
ユーザのイメージスキャン動作に応答して、リアルタイムイメージスキャンをユーザのオフライン環境で実行することと、
スキャンによって取得したリアルシーンイメージに関連するイメージ識別を開始し、プリセットパターン識別子がリアルシーンイメージにおいて識別されるときにＡＲサーバから送信された電子証明書を取得し、取得した電子証明書を局所的にセーブし、電子証明書は、仮想オブジェクトを取得するために用いられることと、
局所的にセーブされた電子証明書のカテゴリーカウントが予め決定されたしきい値に到達したか否かを判断することと、
局所的にセーブされた電子証明書のカテゴリーカウントが予め決定されたしきい値に到達した場合、予め決定されたしきい値に等しいカテゴリーカウントを有する複数の電子証明書を含む仮想オブジェクト分配要求に基づいて、ユーザに対して設定されたプリセット仮想オブジェクトからの仮想オブジェクトをＡＲサーバによって分配するために、仮想オブジェクト分配要求をＡＲサーバに送信することと、
を備える方法を提供する。
【０００４】
本願は、拡張現実（ＡＲ）ベースの仮想オブジェクトを分配し、ＡＲサーバに適用できる方法であって、
ユーザが、ＡＲクライアントを用いて、オフライン環境でリアルシーンイメージスキャンを実行するときに、ＡＲクライアントによって取得されたリアルシーンイメージにおいてプリセットパターン識別子が識別されたか否かを判断することと、
リアルシーンイメージにおいてプリセットパターン識別子が識別された場合、ＡＲクライアントに電子証明書を送信し、電子証明書は、仮想オブジェクトを取得するために用いられることと、
ＡＲクライアントによって送信されたオブジェクト分配結果を受信し、オブジェクト分配結果は、オブジェクトを取得するための複数の電子証明書を含むことと、
オブジェクト分配結果に含まれる電子証明書のカテゴリーカウントが予め決定されたしきい値に到達したか否かを判断することと、
オブジェクト分配結果に含まれる電子証明書のカテゴリーカウントが予め決定されたしきい値に到達した場合、プリセットの分配規則に基づいてユーザに設定されたプリセット仮想オブジェクトから仮想オブジェクトを分配することと、
を備える方法を更に提供する。
【０００５】
本願は、拡張現実（ＡＲ）ベースの仮想オブジェクトを分配し、ＡＲクライアントに適用できる装置であって、
ユーザのイメージスキャン動作に応答して、リアルタイムイメージスキャンをユーザのオフライン環境で実行するスキャンモジュールと、
スキャンによって取得したリアルシーンイメージに関連するイメージ識別を開始し、プリセットパターン識別子がリアルシーンイメージにおいて識別されるときにＡＲサーバから送信された電子証明書を取得し、取得した電子証明書を局所的にセーブし、電子証明書は、仮想オブジェクトを取得するために用いられる取得モジュールと、
局所的にセーブされた電子証明書のカテゴリーカウントが予め決定されたしきい値に到達したか否かを判断する第１の判断モジュールと、
局所的にセーブされた電子証明書のカテゴリーカウントが予め決定されたしきい値に到達した場合、予め決定されたしきい値に等しいカテゴリーカウントを有する複数の電子証明書を含む仮想オブジェクト分配要求に基づいて、ユーザに対して設定されたプリセット仮想オブジェクトからの仮想オブジェクトをＡＲサーバによって分配するために、仮想オブジェクト分配要求をＡＲサーバに送信する送信モジュールと、
を備える装置を更に提供する。
【０００６】
本願は、拡張現実（ＡＲ）ベースの仮想オブジェクトを分配し、ＡＲサーバに適用できる装置であって、
ユーザが、ＡＲクライアントを用いて、オフライン環境でリアルシーンイメージスキャンを実行するとき、ＡＲクライアントによって取得されたリアルシーンイメージにおいてプリセットパターン識別子が識別されたか否かを判断する第２の判断モジュールと、
リアルシーンイメージにおいてプリセットパターン識別子が識別された場合、ＡＲクライアントに電子証明書を送信し、電子証明書は、仮想オブジェクトを取得するために用いられる送信モジュールと、
ＡＲクライアントによって送信されたオブジェクト分配結果を受信し、オブジェクト分配結果は、オブジェクトを取得するための複数の電子証明書を含む第２の受信モジュールと、
オブジェクト分配結果に含まれる電子証明書のカテゴリーカウントが予め決定されたしきい値に到達したか否かを判断する第３の判断モジュールと、
オブジェクト分配結果に含まれる電子証明書のカテゴリーカウントが予め決定されたしきい値に到達した場合、プリセットの分配規則に基づいてユーザに設定されたプリセット仮想オブジェクトから仮想オブジェクトを分配する分配モジュールと、
を備える装置を更に提供する。
【０００７】
本願は、ＡＲ技術に基づくユーザに対する仮想オブジェクトの分配のオンライン要求とＡＲクライアントのユーザによって実行されるオフラインイメージスキャンとを組み合わせる対話モードを開示する。ユーザは、ＡＲクライアントを用いて、仮想オブジェクトを取得するための電子証明書をＡＲクライアントに送信することをＡＲサーバによって行わせるために、オフラインのプリセットパターン識別子のイメージスキャンを実行し、かつ、ＡＲクライアントを用いて、ＡＲサーバから送信された電子証明書を受信することができる。局所的にセーブされた電子証明書のカテゴリーカウントが、予め決定されたしきい値に到達したときに、ユーザは、仮想オブジェクトの分配の許可を取得することができる。ＡＲクライアントは、予め決定されたしきい値に等しいカテゴリーカウントを有する複数の電子証明書を含む仮想オブジェクト分配要求をＡＲサーバに能動的に送信することができる。ＡＲサーバは、オブジェクトをプリセットの仮想オブジェクトからユーザに分配し、これによって、仮想オブジェクトの分配の対話性及び面白さを増大させることができる。
【図面の簡単な説明】
【０００８】
【図１】本願の一実施の形態によるＡＲベースの仮想オブジェクトを分配する方法のフローチャートである。
【図２】本願の一実施の形態によるＡＲクライアントのイメージスキャンインタフェースの模式図である。
【図３】本願の一実施の形態による仮想幸運カードを取得するためにプリセットパターン識別子をスキャンするＡＲクライアントの模式図である。
【図４】本願の一実施の形態による取得した仮想幸運カードを表示するＡＲクライアントの模式図である。
【図５】本願の一実施の形態による取得した仮想幸運カードを表示するＡＲクライアントの他の模式図である。
【図６】本願の一実施の形態による五つの幸運レッドパケットの分配結果を表示するＡＲクライアントの模式図である。
【図７】本願の一実施の形態によるＡＲベースの仮想オブジェクトを分配する装置の論理ブロック図である。
【図８】本願の一実施の形態によるＡＲベースの仮想オブジェクトを分配する装置を収容するＡＲクライアントのハードウェア構成図である。
【図９】本願の一実施の形態によるＡＲベースの仮想オブジェクトを分配する他の装置の論理ブロック図である。
【図１０】本願の一実施の形態によるＡＲベースの仮想オブジェクトを分配する他の装置を収容するＡＲクライアントのハードウェア構成図である。
【発明を実施するための形態】
【０００９】
本願の目的は、ＡＲ技術に基づくユーザに対する仮想オブジェクトの分配のオンライン要求とＡＲクライアントのユーザによって実行されるオフラインイメージスキャンとを組み合わせる対話モードを提供することである。
【００１０】
実現の際に、ユーザは、ＡＲクライアントを用いて、仮想オブジェクトを取得するための電子証明書をＡＲクライアントに送信することをＡＲサーバによって行わせるために、オフラインのプリセットパターン識別子のイメージスキャンを能動的に実行し、かつ、ＡＲクライアントを用いて、ＡＲサーバから送信された電子証明書を受信することができる。局所的にセーブされた電子証明書のカテゴリーカウントが予め決定されたしきい値に到達したときに、ユーザは、仮想オブジェクトの分配の許可を取得することができる。ＡＲクライアントは、予め決定されたしきい値に等しいカテゴリーカウントを有する複数の電子証明書を含む仮想オブジェクト分配要求をＡＲサーバに能動的に送信することができる。ＡＲサーバは、オブジェクトをプリセットの仮想オブジェクトからユーザに分配し、これによって、仮想オブジェクトの分配の対話性及び面白さを増大させることができる。
【００１１】
例えば、上述した仮想オブジェクトが、レッドパケット分配状況の「仮想レッドパケット」である場合、ユーザは、レッドパケットを取得するための電子証明書をＡＲサーバによってＡＲクライアントに送信させ、ＡＲサーバから送信された電子証明書を、ＡＲクライアントを用いて受信するために、ＡＲクライアントを用いてオフラインのプリセットパターン識別子をスキャンすることができる。ユーザによって受け取られた電子証明書のカテゴリーカウントが予め決定されたしきい値に到達するときに、ユーザは、レッドパケットの分配の許可を取得することができる。ＡＲクライアントは、予め決定されたしきい値に等しいカテゴリーカウントを有する複数の電子証明書を含むレッドパケット分配要求をＡＲサーバに能動的に送信することができる。ＡＲサーバは、所定の量のレッドパケットをプリセットの「レッドパケットキャッシュプール」からユーザに分配し、これによって、レッドパケットの分配の対話性及び面白さを増大させることができる。
【００１２】
本願を、特定のアプリケーション状況と組み合わせた特定の実施の形態を用いて後に説明する。
【００１３】
本願の一実施の形態によって提供される拡張現実ベースの仮想オブジェクトを分配する方法である図１を参照すると、方法は、以下のステップを有する。
【００１４】
ステップ１０１：ユーザのイメージスキャン動作に応答して、ＡＲクライアントは、リアルタイムイメージスキャンをユーザのオフライン環境で実行する。
【００１５】
ステップ１０２：ＡＲクライアントは、イメージスキャンによって取得したリアルシーンイメージに関連するイメージ識別を開始する。
【００１６】
ステップ１０３：ＡＲサーバは、ＡＲクライアントによって取得されたリアルシーンイメージにおいてプリセットパターン識別子が識別されたか否かを判断し、ＡＲクライアントによって取得されたリアルシーンイメージにおいてプリセットパターン識別子が識別された場合、仮想オブジェクトを取得するために電子証明書をＡＲクライアントに送信する。
【００１７】
ステップ１０４：ＡＲクライアントは、ＡＲサーバから送信された電子証明書を取得し、取得した電子証明書を局所的にセーブする。
【００１８】
ステップ１０５：ＡＲクライアントは、局所的にセーブされた電子証明書のカテゴリーカウントが予め決定されたしきい値に到達したか否かを判断し、局所的にセーブされた電子証明書のカテゴリーカウントが予め決定されたしきい値に到達した場合、予め決定されたしきい値に等しいカテゴリーカウントを有する複数の電子証明書を含む仮想オブジェクト分配要求をＡＲサーバに送信する。
【００１９】
ステップ１０６：ＡＲサーバは、仮想オブジェクト分配要求に含まれる電子証明書のカテゴリーカウントが予め決定されたしきい値に到達したか否かを判断し、仮想オブジェクト分配要求に含まれる電子証明書のカテゴリーカウントが予め決定されたしきい値に到達した場合、プリセットの分配規則に基づいてユーザに設定されたプリセット仮想オブジェクトから仮想オブジェクトを分配する。
【００２０】
上述したＡＲクライアントは、ＡＲ技術に基づいて開発された又はＡＲ機能と統合されたクライアントソフトウェアを意味する。例えば、ＡＲクライアントは、ＡＲサービス機能を有するアリペイであってもよく、ＡＲクライアントは、リアルシーンのイメージスキャンをオフライン環境で実行し、スキャンされたイメージデータをリアルタイムでＡＲサーバに送信し、ＡＲクライアントのフォアグラウンドのＡＲエンジンを介して、バックグラウンドのＡＲサーバによってプッシュされた仮想データのビジュアルレンダリングを実行し、かつ、（リアルシーンイメージのような）リアルシーンのスキャンされたイメージデータに仮想データを重ね合わせるとともに統合するのに用いられる。
【００２１】
上述したＡＲサーバは、ＡＲクライアント、サーバクラスタ又はサーバクラスタに基づくクラウドプラットフォームにサービスを提供するサーバを含んでもよい。例えば、ＡＲサーバは、ＡＲサービス機能を有するアリペイアプリケーションにドッキングサービスを提供する支払いプラットフォームであってもよい。ＡＲサーバは、バックグラウンドのＡＲエンジンに基づいてＡＲクライアントによってスキャンされたイメージを識別し（明らかに、イメージ識別処理を、フォアグラウンドのＡＲエンジンに基づいてＡＲクライアントによって遂行してもよい。）、オフラインビジネスに関連する仮想データのコンテンツ管理を実行し、かつ、関連の仮想データをイメージ識別の結果に基づいてＡＲクライアントにプッシュするのに用いられる。例えば、ＡＲサーバは、仮想オブジェクトを取得するためのプリセットの電子証明書のコンテンツ管理を局所的に実行するとともに電子データをイメージ識別の結果に基づいてＡＲクライアントに送信してもよい。
【００２２】
上述した仮想オブジェクトは、オンラインで分配することができるあらゆるタイプの仮想物品を含んでもよい。例えば、示した実現において、仮想オブジェクトは、レッドパケット分配状況における「仮想レッドパケット」であってもよい。
【００２３】
上述した電子証明書は、ユーザがＡＲサーバから仮想オブジェクトを取得するための証明書を意味する。実際の適用において、ＡＲサーバは、所定の数の互いに異なるカテゴリーの電子証明書でプリセットされるとともに互いに異なるカテゴリーの電子証明書を所定の分配規則に従って特定のユーザグループに分配してもよい。上述した電子証明書の特定の形式は、限定されるものではなく、文字列、数、文字、パスワード、仮想カード等であってもよい。
【００２４】
上述したプリセットパターン識別子は、ＡＲサーバにおいて予め規定される任意の形態のパターン識別子を有してもよく、当該パターン識別子は、仮想オブジェクトを取得するためにＡＲサーバにおいてプリセットされた電子証明書とのバインディング関係を有する。実際の適用において、当業者は、実際の要求に基づいてプリセットパターン識別子をカスタマイズすることができる。
【００２５】
ステップ１０１〜１０６に示す技術的な解決を、上述した仮想オブジェクトの一例としての「仮想レッドパケット」を用いることによって後に詳細に説明する。
【００２６】
明らかに、上述した仮想オブジェクトの一例として「仮想レッドパケット」を用いることは例示である。実際の適用において、「仮想レッドパケット」以外の仮想オブジェクトは、電子証明書、電子商品券及び電子クーポンのようなオンラインで分配及び送信することができる他の仮想物品であってもよい。
【００２７】
本実施の形態において、所定の数の互いに異なるカテゴリーの電子証明書を、ＡＲサーバにおいてプリセットすることができ、プリセットされた電子証明書をプリセットパターン識別子に結び付けることができる。ユーザは、ＡＲクライアントを用いて、仮想オブジェクトを取得するための電子証明書をＡＲクライアントに送信することをＡＲサーバによって行わせるために、オフラインのプリセットパターン識別子をスキャンし、かつ、ＡＲクライアントを用いて、ＡＲサーバから送信された電子証明書を受信することができる。
【００２８】
ユーザによって受信した電子証明書のカテゴリーカウントが予め決定されたしきい値に到達したときに、ユーザは、レッドパケットの分配の許可を取得することができる。ＡＲクライアントは、予め決定されたしきい値に等しいカテゴリーカウントを有する複数の電子証明書を含むレッドパケット分配要求をＡＲサーバに能動的に送信することができる。ＡＲサーバは、所定の数のレッドパケットをプリセットの「レッドパケットキャッシュプール」からユーザに分配し、これによって、レッドパケットの分配の対話性及び面白さを増大させることができる。
【００２９】
例えば、示すような「五つの幸運の付与」のレッドパケット分配状況において、上述した電子証明書は、五つのタイプの仮想幸運カード、すなわち、「健康運」、「友情運」、「繁栄運」、「家族運」及び「財運」を有してもよい。上述したプリセットパターン識別子を、ユーザのオフライン環境の単語「運」を有する任意のタイプのパターン識別子とすることができる。ユーザは、ＡＲクライアントを用いて、仮想幸運カードをＡＲクライアントに送信することをＡＲサーバによって行わせるために、オフライン環境の単語「運」を有するプリセットパターン識別子を能動的にスキャンし、かつ、ＡＲクライアントを介してＡＲサーバによって送信された仮想幸運カードを受信することができる。ユーザは、五つのタイプの仮想幸運カードを受信した後に、対応するようにレッドパケットの受信の許可を取得し、ＡＲサーバは、レッドパケットをユーザに送信する。
【００３０】
ステップ１０１〜１０６に示す技術的な解決を、「電子証明書の受信」、「電子証明書のカテゴリーカウントの確認」及び「レッドパケットの分配」の三つの段階において後に詳細に説明する。
【００３１】
（１）「電子証明書の受信」
初期状態において、所定の数の互いに異なるカテゴリーの電子証明書をＡＲサーバにおいてプリセットすることができ、プリセットされた電子証明書は、ＡＲサーバによって集合的に管理され、
プリセットされた電子証明書は、ユーザがレッドパケットの分配の許可を取得するための証明書のみであり、プリセットされた電子証明書の数及びカテゴリーカウントを、実際の要求に基づいて設定することができる。
【００３２】
所定の数の互いに異なるカテゴリーの電子証明書の他にプリセットパターン識別子をＡＲサーバにおいて予め規定することもでき、プリセットパターン識別子は、プリセットされた電子証明書に結び付けられる。
【００３３】
ユーザが任意の形態のプリセットパターン識別子をオフライン環境において見つけるときに、ユーザは、電子証明書をＡＲクライアントに送信することをＡＲサーバによって行わせるために、ＡＲクライアントのイメージスキャン機能によってオフラインのプリセットパターン識別子のイメージスキャンを能動的に実行し、かつ、レッドパケットの分配の許可を得るために、ＡＲクライアントを用いて、ＡＲサーバから送信された電子証明書を受信することができる。
【００３４】
本実施の形態において、ＡＲクライアントは、デフォルトによってイメージスキャン機能の機能的なオプションをユーザに提供することができる。例えば、機能的なオプションは、具体的には、ＡＲクライアントのユーザのホームページにおいてユーザに提供される「スキャン」機能ボタンであってもよい。ユーザがＡＲクライアントを用いてオフライン環境においてプリセットパターン識別子のイメージスキャンを実行する必要があるときに、ユーザは、「クリック」又は他の方法によって機能的なオプションをトリガした後にＡＲクライアントのイメージスキャンインタフェースに入ることができる。
【００３５】
実施の形態によるＡＲクライアントのイメージスキャンインタフェースの模式図である図２を参照する。
【００３６】
図２に示すように、ＡＲクライアントの上述したイメージスキャンインタフェースを、「スキャンコード」又は「ＡＲレッドパケット」機能ボタンのようなユーザの通常の機能ボタンの他に設けることもできる。ユーザは、イメージスキャンインタフェースへの入力をＡＲクライアントによって行わせるために、「クリック」又は他の方法によって機能ボタンをトリガし、ユーザのオフライン環境においてプリセットパターン識別子のスキャン動作を遂行することができる。
【００３７】
イメージスキャンインタフェースは、具体的には、リアルタイムスキャンインタフェースであってもよい。すなわち、イメージスキャンインタフェースのバックグラウンド画像は、ユーザのローカル環境のリアルシーン画像であってもよい。
【００３８】
図２を参照すると、ＡＲクライアントが図２に示すイメージスキャンインタフェースに入った後に、イメージスキャンプロンプトをイメージスキャンページに更に表示することができる。
【００３９】
上述したイメージスキャンプロンプトは、具体的には、オフライン環境におけるイメージスキャンの実行を促すためのダイナミックスキャンフレームと、イメージスキャンページに静的に表示されるプロンプトテキストと、を有してもよい。
【００４０】
図２に示すように、上述したイメージスキャンプロンプトは、画像の中心で動的に回転する円形のスキャンフレームと、スキャンフレームの下に静的かつ恒久的に表示される「目的及びスキャン」のプロンプトテキストと、を有してもよい。
【００４１】
プロンプトテキストのコンテンツを、実際の適用において動的に更新することができる。例えば、ＡＲクライアントがオフライン環境をスキャンするときに、プロンプトテキストを「スキャン」に更新することができ、ＡＲクライアントが、ロードしたイメージ識別アルゴリズムを介して任意のオフラインターゲットを識別し損なったときに、このスキャンは失敗し、プロンプトテキストを、「レンズを動かさないでください」、「他の場所でトライしてください」又はユーザにスキャンを再度促す他の同様なテキストプロンプトに更新することができる。
【００４２】
本実施の形態において、ＡＲクライアントがイメージスキャンページにイメージスキャンプロンプトを表示した後、ＡＲクライアントは、ユーザのオフライン環境におけるリアルタイムイメージスキャンを実行するとともにスキャンされたリアルシーンイメージにおけるイメージ識別を開始するためにＡＲ端末装置（例えば、スマートフォン又はＡＲメガネ）に装着されたカメラを用いることができる。
【００４３】
ＡＲクライアントは、ＡＲクライアントにロードされたイメージ識別モデルに基づいて、スキャンされたリアルシーンイメージにおけるイメージ識別を実行することができる。代替的には、ＡＲクライアントは、ＡＲサーバにロードされたイメージ識別モデルに基づくイメージ識別をＡＲサーバによって遂行するために、スキャンされたリアルシーンイメージをリアルタイムでＡＲサーバにアップロードすることができる。
【００４４】
一つの実現において、イメージ識別モデルをＡＲクライアントに局所的にロードしてもよく、ターゲットユーザのオフライン環境のリアルシーンイメージをＡＲ端末装置のカメラを用いてスキャンした後、ＡＲクライアントは、イメージ識別モデルに基づくリアルシーンイメージにおける画像識別を行い続けるとともに識別結果をＡＲサーバにアップロードすることができる。
【００４５】
他の示した実現において、イメージ識別モデルがＡＲクライアントに局所的にロードされず、ＡＲクライアントは、スキャンしたリアルシーンイメージをリアルタイムでＡＲサーバにアップロードしてもよく、ＡＲサーバは、ＡＲサーバにロードされたイメージ識別モデルに基づくリアルシーンイメージにおける画像識別を行い、識別結果をＡＲクライアントに返してもよい。
【００４６】
イメージ識別モデルに用いられる画像識別アルゴリズムが本実施の形態に特に限定されるものではなく、本願の技術的解決を実現するときに関連技術の記録を当業者によって参照できることに留意すべきである。例えば、一つの実現において、上述した画像識別モデルは、多数のイメージ識別サンプルと組み合わされたニューラルネットワークトレーニングに基づくディープラーニングモデルであってもよい。
【００４７】
本実施の形態において、ＡＲクライアントによってスキャンされたリアルシーンイメージにおける画像識別の後、ＡＲサーバは、さらに、ＡＲクライアントによってスキャンされたリアルシーンイメージにおいて上述したプリセットパターン識別子が識別されたか否かを識別結果に基づいて確認することができる。ＡＲクライアントによってスキャンされたリアルシーンイメージにおけるプリセットパターン識別子の識別が成功したことを確認した場合、ＡＲサーバは、プリセットされた電子証明書からの対応する電子証明書を、ＡＲクライアントを介してユーザに送信することができる。
【００４８】
一つの示した実現において、ＡＲサーバは、電子証明書をＡＲクライアントに送信するときに、局所的なプリセットの電子証明書から電子証明書をＡＲクライアントにランダムに送信することができる。
【００４９】
一つの示した実現において、ＡＲサーバは、完全にランダムな分布を除くプリセットの送信規則に従って、局所的なプリセットの電子証明書からの電子証明書をＡＲクライアントに送信する。
【００５０】
ＡＲサーバが電子証明書をＡＲクライアントに送信するときに、ＡＲサーバは、電子証明書を直接ＡＲクライアントに送信することができ、又は、電子証明書に対応する固有の識別子を送信するだけでよく、固有の識別子とＡＲクライアントの局所的な電子証明書の間の対応をセーブすることができることに留意されたい。次に、ＡＲクライアントは、固有の識別子を介して対応する電子証明書を識別することができる。
【００５１】
例えば、電子証明書が仮想カードであると仮定すると、サーバは、仮想カードを直接ＡＲクライアントに送信してもよい又は仮想カードに対する固有の対応する識別子を生成するとともに当該識別子をＡＲクライアントに送信することができる。ＡＲクライアントは、識別子を受信した後、セーブした対応に基づいて局所的に表示するために対応する仮想カードに識別子を描画する。
【００５２】
実際の適用において、電子証明書が偽造されるのを防止するために、ＡＲサーバは、電子証明書をＡＲクライアントに送信するときにプリセットの暗号化アルゴリズムによって電子証明書を暗号化することができる。ＡＲクライアントは、暗号化された電子証明書を受信した後、暗号化アルゴリズムに対応する暗号解読鍵を用いて電子証明書を解読することができる。このようにして、電子証明書がユーザによって偽造されるのを防止する。
【００５３】
本実施の形態において、ＡＲサーバからＡＲクライアントに送信される電子証明書のカテゴリーカウントは、上述した予め決定されたしきい値より小さくてもよい。すなわち、ＡＲサーバからＡＲクライアントに送信される電子証明書のタイプの数は、上述した予め決定されたしきい値より小さくてもよい。
【００５４】
例えば、上述した例において、電子証明書は、視覚的なカードであり、ユーザは、レッドパケットの分配の許可を得るために五つの互いに異なるタイプの仮想カードを受信する必要がある。ＡＲサーバが仮想カードをＡＲクライアントに送信するときに、送信される仮想カードのカテゴリーカウントは、３のような５未満の数であってもよい。このようにして、レッドパケットの分配の許可を有するユーザの数を効果的に制御することができる。
【００５５】
追加的には、電子証明書をＡＲクライアントに送信する際にサーバによって採用される送信規則を実際の要求に従ってカスタマイズすることができることを指摘すべきである。
【００５６】
一つの示す実現において、上述した送信規則は、ユーザの特定のグループに対する選択的な送信を含んでもよい。
【００５７】
この場合、サーバは、局所的にセーブされた電子証明書を低頻度通信セットと高頻度通信セットに予め分割することができる。低頻度通信セットの電子証明書を、ＡＲサーバによって指定された特定のユーザに送信することができ、それに対し、高頻度通信セットの電子証明書を一般的なユーザに送信することができる。
【００５８】
一つの示した実現において、上述した特定のユーザは、活動レベルが高いユーザを意味してもよい。ＡＲサーバは、電子証明書を送信するときに、低頻度通信セットの電子証明書の活動レベルが高いユーザへの送信を優先するとともに高頻度通信セットの電子証明書の一般的なユーザへの送信を優先してもよい。
【００５９】
この場合、ＡＲサーバは、電子証明書を最初のユーザに送信するときに、ユーザの活動レベルを局所的に計算し、ユーザが活動的なユーザであるか否かを判断するために、計算した活動レベルと予め決定されたしきい値とを比較することができる。ユーザの活動レベルが予め決定されたしきい値に到達する場合、ＡＲサーバは、ユーザが活動的なユーザであると判断することができ、この場合、ＡＲサーバは、送信証明書を低頻度通信セットから取得してＡＲクライアントを介してユーザに送信することができる。
【００６０】
例えば、一つの実現において、ＡＲサーバは、ユーザが活動的なユーザであると判断したとき、低頻度通信セットからの電子証明書のみを読み出してユーザに送信することができる。他の実現において、ＡＲサーバは、低頻度通信セットからの電子証明書及び高頻度通信セットからの電子証明書を同時に読み出して最初のユーザに送信することができるが、送信される電子証明書が低頻度通信セットの少なくとも一つの電子証明書を有することを保証する必要がある。低い活動レベルを有する一般的なユーザに対して、ＡＲサーバは、高頻度通信セットからの電子証明書のみをユーザに送信することができる。
【００６１】
このようにして、高い活動レベルを有するユーザは、比較的「レア」な電子証明書を更に容易に取得することができ、したがって、仮想オブジェクトのアクセス権を高い活動レベルを有するユーザに導く。
【００６２】
ＡＲサーバがユーザの活動レベルを計算するときに活動レベルをユーザの活動に関連する日常のパラメータに基づいて特徴付けることができることを指摘すべきである。例えば、実際の適用において、ユーザの友達が多くなるに従って又は開始されるサービスが多くなるに従って、ユーザは更に活動的になる。したがって、上述したパラメータは、ユーザの友達の数及び開始されるサービスの数のようなパラメータを有してもよい。ＡＲサーバは、ユーザの活動レベルを計算するときに、ユーザの友達の数又はユーザによって開始されるサービスの数を計数し、ユーザが活動的なユーザであるか否かを判断するために、当該数が予め決定されたしきい値に到達したか否かを判断することができる。
【００６３】
明らかに、実際の適用において、ユーザの活動レベルを特徴付けるパラメータは、上述したようなユーザの友達の数又はユーザによって開始されるサービスの数に限定されず、実現中にユーザの活動レベルを計算するためにユーザの活動レベルを特徴付ける他のパラメータを用いてもよい。
【００６４】
本実施の形態において、電子証明書をＡＲクライアントに送信することをＡＲサーバによって行わせるためにＡＲクライアントを介してオフライン環境におけるプリセットパターン識別子をスキャンすることによる電子証明書の受信の他に、実際の適用において、ユーザは、同一のＡＲクライアントを介して他のユーザにより共有される電子証明書を取得することによって電子証明書を受信することもできる。
【００６５】
例えば、仮想カードである上述した電子証明書の例において、ＡＲクライアントは、ＡＲサービス機能を有するアリペイクライアントであってもよい。アリペイクライアントは、共有インタフェースを提供してもよく、他のユーザは、アリペイクライアントを介して、アリペイクライアント内のユーザと仮想カードを共有することができる、又は、アリペイクライアントによって提供される共有インタフェースを介して、リンク若しくはクリック可能な画像及び文字の形態の第三者ソーシャルプラットフォーム若しくはインスタントメッセージングソフトウェアと仮想カードを共有することができる。ユーザは、他のユーザによって共有された仮想カードを受信した後、リンク又は画像及びテキストをクリックした後にアリペイクライアントのインタフェースに飛ぶことによって、第２のユーザにより共有される仮想カードを受信して局所的にセーブすることができる。
【００６６】
本実施の形態において、ＡＲクライアントは、プリセットパターン識別子をスキャンすることによりＡＲサーバによって送信された電子証明書を取得した後、電子証明書に従って対応する表示画像を生成し、ＡＲクライアントのフォアグラウンドのＡＲエンジンに基づいて表示画像のビジュアルレンダリングを実行することができる。表示画像は、リアルシーンイメージの現在スキャンしたプリセットパターン識別子の位置に基づいてリアルシーンイメージに重ね合わされるとともに統合される。受信オプションがリアルシーンイメージに出力される。
【００６７】
上述した拡張表示の特定のモードを本実施の形態では具体的に限定しない。例えば、一つの実現において、表示画像を、リアルシーンイメージのプリセットパターン識別子に対応する位置から動的にポップアップさせるとともに動的に表示することができる。
【００６８】
上述した受信オプションを、具体的には、表示画像に対応する電子証明書を受信するための機能ボタンとしてもよい。ユーザは、「クリック」又は表示画像に対応する電子証明書を受信するための他の方法によって機能ボタンをトリガし、生成した画像を、電子証明書に対応する局所的な表示位置に追加し、電子証明書を局所的にセーブする。
【００６９】
電子証明書のためにＡＲクライアントによって生成された表示画像は、電子証明書のカテゴリーに対応してもよい。すなわち、電子証明書の互いに異なるカテゴリーに対応する表示画像は、互いに異なる。上述した表示画像に示すコンテンツは、特に限定されない。一方では、ユーザインタフェースのＡＲクライアントによって提供される表示位置は、電子証明書のカテゴリーに対応し、互いに異なる表示位置は、電子証明書の互いに異なるカテゴリーにそれぞれ対応する。
【００７０】
追加的には、生成された表示画像を対応する表示位置に追加した後に、ＡＲクライアントは、表示位置に対応する現在取得した電子証明書の数を表示位置に示すこともできる。例えば、デジタルリマインダーを表示位置の右上コーナに生成してもよい。さらに、所定のタイプの電子証明書の数が変わるとき、ＡＲクライアントは、電子証明書の実際の残りの数に基づいて、電子証明書に対応する表示位置に示された数を更新することもできる。
【００７１】
本実施の形態において、ユーザは、取得した電子証明書を他のユーザと共有することができる。
【００７２】
一つの示した実現において、ユーザは、表示位置に追加された表示画像をトリガすることによって、表示画像に対応する電子証明書を他のユーザと共有することができる。
【００７３】
例えば、ユーザが所定のタイプの電子証明書を共有することを所望するときに、ユーザは、クリック又は他の方法によって電子証明書に対応する表示位置をトリガすることができる。表示位置がトリガされるときに、表示位置に対応する表示画像がユーザインタフェースにおいて表示される。
【００７４】
この場合、共有オプションを表示画像に設けることができる。例えば、電子証明書が仮想カードであるとき、共有オプションを「友達への送信」のトリガオプションとすることができる。ユーザがクリックのようなプリセットトリガオプションを介してトリガオプションをトリガした後、ＡＲクライアントは、ユーザによって選択できる複数のターゲットアプリケーションを設けることができる共有モード選択インタフェースを出力することができる。この場合、ユーザは、選択インタフェースの対応するターゲットアプリケーションを選択し、ターゲットアプリケーションのこのときを共有するターゲットユーザを更に選択することができる。選択を遂行するとき、ＡＲクライアントは、電子証明書を、ユーザによって選択したターゲットユーザに送信することができる。
【００７５】
ユーザが電子証明書をターゲットユーザと共有するときに、ターゲットユーザがＡＲクライアントのユーザの関係者又は友達である場合、ユーザは、ＡＲクライアント内のターゲットユーザと電子証明書を共有することができる。この場合、ＡＲクライアントは、共有される電子証明書を、ＡＲサーバを介してターゲットユーザのＡＲクライアントに送信することができる。
【００７６】
明らかに、ターゲットユーザがＡＲクライアントのユーザの関係者又は友達ではなくて第三者クライアントのユーザの関係者又は友達である場合、ユーザは、第三者クライアントを介してターゲットユーザと電子証明書を共有することができる。この場合、ＡＲクライアントは、ＡＲサーバを介して共有される電子証明書の対応するアクセスリンクを生成し、生成したアクセスリンクを、第三者クライアントを介してターゲットユーザと共有することができる。
【００７７】
（２）「電子証明書のカテゴリーカウントの確認」
本実施の形態において、ユーザが上述した二つの方法によって電子証明書を受信した後、ＡＲクライアントは、局所的にセーブされた電子証明書のカテゴリーカウントが予め決定されたしきい値に到達したか否かをバックグラウンドにおいてリアルタイムで判断することもできる。予め決定されたしきい値に到達した場合、ユーザは、レッドパケットの分配の許可を取得することができ、この場合、ＡＲクライアントは、（上述した仮想オブジェクト分配要求に相当する）レッドパケット分配要求をサーバに送信することができ、複数の電子証明書がレッドパケット分配要求に含まれる。
【００７８】
一つの示した実現において、サーバがレッドパケット分配要求を受信した後にレッドパケット分配要求に含まれる電子証明書を取得して確認するために、レッドパケット分配要求に含まれる電子証明書の数及びカテゴリーカウントを両方とも上述した予め決定されたしきい値とすることができる。
【００７９】
ＡＲクライアントがレッドパケット分配要求をＡＲサーバに送信する動作をユーザにより手動でトリガすることができる又は受信した電子証明書のカテゴリーカウントが第１の数に到達したと判断したときにＡＲクライアントによって自動的にトリガすることができることに留意されたい。
【００８０】
例えば、一つのケースにおいて、ＡＲクライアントは、受信した電子証明書の数が第１の数に到達したことをバックグラウンドにおいて判断したときに、ＡＲサーバに対する上述したレッドパケット分配要求を自動的に開始することができる。他のケースにおいて、ＡＲサーバに対するオブジェクト分配要求を開始するためにＡＲクライアントをトリガするトリガボタンを、電子証明書に対応する表示位置に設けてもよい。ＡＲクライアントは、受信した電子証明書の数が予め決定されたしきい値に到達したとバックグラウンドにおいて判断したときに、ユーザがレッドパケットの分配の許可を現在取得することができることをユーザに気付かせるためのユーザに対するプロンプトを表示することができ、ＡＲクライアントは、ユーザのトリガボタンに対するトリガ動作に応答して、レッドパケット分配要求をＡＲサーバに送信することができる。
【００８１】
本実施の形態において、ＡＲサーバは、ＡＲクライアントによって送信されたレッドパケット分配要求に含まれる電子証明書のカテゴリーカウントを確認する。レッドパケット分配要求に含まれる電子証明書を確認した後にレッドパケット分配要求に含まれる電子証明書のカテゴリーカウントが予め決定されたしきい値に到達したことをＡＲサーバによって判断された場合、このケースのレッドパケットの分配の許可をユーザに与えることができ、所定の量のレッドパケットをプリセットの分配規則に基づいて（上述したプリセットの仮想オブジェクトセットに相当する）プリセットの「レッドパケットキャッシュプール」からユーザに即座に分配する、又は、特定のレッドパケット分配時間に到達した後に所定の量のレッドパケットをプリセットの分配規則に基づいてプリセットの「レッドパケットキャッシュプール」からユーザに分配する。
【００８２】
（３）「レッドパケットの分配」
本実施の形態において、プリセットの「レッドパケットキャッシュプール」からのレッドパケットをユーザに分配するときにＡＲサーバによって採用される分配規則を、実際のビジネス要件に基づいて作成することができる。
【００８３】
一つの示した実現において、ＡＲサーバは、レッドパケットの分配の許可が与えられたユーザの数を計数するとともに計数されたユーザの数に基づいて「レッドパケットキャッシュプール」の分散されるレッドパケットの平均量を計算することができる。この場合、計算された平均量は、各ユーザに分配されるレッドパケットの量である。この場合、ＡＲサーバは、計算された平均量に基づいて、量に対応するレッドパケットを「レッドパケットキャッシュプール」から各ユーザに分配することができる。
【００８４】
他の示した実現において、ＡＲサーバは、レッドパケットをユーザに分配するときに、ユーザに対する所定の量のレッドパケットを「レッドパケットキャッシュプール」からランダムに取り出すこともできる。例えば、ＡＲサーバは、「レッドパケットキャッシュプール」の分配されるレッドパケットの総量と組み合わされたプリセットのランダム化アルゴリズムに基づいて、ユーザに対する乱数を計算し、乱数に従って、対応する量のレッドパケットをユーザに分配することができる。
【００８５】
明らかに、上記の分配規則に加えて、他の分配規則を実際の適用に用いることもでき、これらを本願では一つずつ挙げない。
【００８６】
本実施の形態において、ユーザに対するレッドパケットの分配が成功した後、ＡＲサーバは、ユーザが配置されたＡＲクライアントに分配結果を送信こともでき、ＡＲクライアントは、分配結果を受信した後に分配結果をユーザに対して表示することができる。
【００８７】
分配結果は、分配されたレッドパケットの量、レッドパケットの送信者、レッドパケットの他の受信者、他の受信者の数及びレッドパケットの分配規則の一つ以上を含んでもよい。
【００８８】
上述した実施の形態の技術的解決を、特定の適用の状況を参照しながら後に詳細に説明する。
【００８９】
示すような「五つの幸運の付与」のレッドパケット分配状況において、ＡＲクライアントを、ＡＲサービス機能を有する支払いクライアントとすることができる。ＡＲサーバを、ＡＲサービス機能を有するアリペイクライアントとドッキングする支払いプラットフォームとすることができる。仮想オブジェクトセットは、支払いプラットフォームと提携する企業の企業資金勘定を意味することができ、企業資金勘定の下での資金は、企業がレッドパケットをユーザに分配するのに用いることができる資金の総量である。
【００９０】
上述した電子証明書は、五つのタイプの仮想幸運カード、すなわち、「健康運」、「友情運」、「繁栄運」、「家族運」及び「財運」を有してもよい。上述したプリセットパターン識別子を、ユーザのオフライン環境の単語「運」を有する任意のタイプのパターン識別子とすることができる。
【００９１】
ユーザは、仮想幸運カードをＡＲクライアントに送信することをＡＲサーバによって行わせるために、ＡＲクライアントを用いて、オフライン環境の単語「運」を有するプリセットパターン識別子を能動的にスキャンし、かつ、ＡＲクライアントを用いて、ＡＲサーバによって送信された仮想幸運カードを受信することができる。ユーザは、五つのタイプの仮想幸運カードを受信した後に、対応するようにレッドパケットの受信の許可を取得し、ＡＲサーバは、レッドパケットをユーザに送信する。
【００９２】
上述した五つのタイプの仮想幸運カードの間で、支払いプラットフォームは、所定のタイプ、例えば、「レア」な仮想幸運カードのような二つのタイプを設定することができる。そのような「レア」な仮想幸運カードが分配されるか否かは、ユーザデータに基づいて支払いプラットフォームによって計算されるユーザの活動レベルに依存する。すなわち、そのような「レア」な幸運カードを、高い活動レベルを有するユーザに優先的に分配することができる。仮想幸運カードを一般的なユーザに分配するとき、支払いプラットフォームは、デフォルトにより、仮想幸運カードの五つのタイプ、すなわち、すなわち、「健康運」、「友情運」、「繁栄運」、「家族運」及び「財運」のうちの二つ又は三つのタイプのカードのみを分配することができる。
【００９３】
ユーザは、オフライン環境において（単語「運」を有するステッカーのような）単語「運」を有するパターン識別子を見つけたとき、仮想幸運カードをＡＲクライアントに送信することをＡＲサーバによって行わせるために、ＡＲクライアントのイメージスキャン機能により単語「運」を有するパターン識別子のイメージスキャンを行うことができる。
【００９４】
ユーザが、図２に示すようなイメージスキャンインタフェースに表示されたイメージスキャンプロンプトのプロンプトによって単語「運」を有するパターン識別子のイメージスキャンを遂行するとき、ＡＲクライアントは、スキャンしたリアルシーンイメージのイメージ識別を開始することができる。イメージ識別を遂行したときに、ＡＲサーバは、ＡＲクライアントによってスキャンされたリアルシーンイメージにおいて単語「運」を有するパターン識別子が識別されたか否かを識別結果に基づいて判断する。ＡＲクライアントによってスキャンされたリアルシーンイメージから単語「運」を有するパターン識別子が識別された場合、ＡＲサーバは、ＡＲクライアントを介して仮想幸運カードをユーザに送信することができる。
【００９５】
図３を参照すると、ＡＲクライアントは、ＡＲサーバによって送信された仮想幸運カードを取得した後、ＡＲクライアントのフォアグラウンドのＡＲエンジンに基づいて、ＡＲサーバによって送信された仮想幸運カードのビジュアルレンダリングを実行し、リアルシーンイメージにおける単語「運」を有する現在スキャンしたパターン識別子の位置に基づいて、仮想幸運カードをリアルシーンイメージに重ね合わせるとともに統合し、それをユーザに対して拡張表示する（例えば、図３に示すように、ＡＲサーバは、「繁栄運」の仮想幸運カードをＡＲクライアントに送信する。）。「幸運カードを取り出す」機能ボタンを、ＡＲ仮想幸運カードに対応する位置（例えば、図３に示すスクリーンの下部）に表示してもよい。
【００９６】
本実施の形態において、ユーザは、「クリック」又は他の方法によって「幸運カードを受け入れる」機能ボタンをトリガすることができ、仮想カードの対応する表示画像を生成するためにＡＲクライアントをトリガすることができる。その後、表示画像をアクティブインタフェースにおいて表示してもよい。互いに異なるタイプの仮想カードに対してクライアントによって生成された表示画像のコンテンツは、互いに異なる。クライアントによって設けられる表示位置は、仮想カードのタイプに一対一で対応することができ、仮想カードの各タイプは、一つの表示位置にそれぞれ対応することができる。
【００９７】
図４を参照すると、ＡＲクライアントは、五つのタイプの仮想幸運カード、すなわち、「健康運」、「友情運」、「繁栄運」、「家族運」及び「財運」の各々に対する表示位置をユーザインタフェースに設けることができる。クライアントは、表示画像を対応する表示位置に追加した後に、表示位置のプリセット位置（例えば、図４に示すような右上コーナ）に現在取得した仮想カードの数を付すことができる。表示位置に対応する仮想カードの数が変わるとき、クライアントは、数を更新することもできる。
【００９８】
ユーザが、支払いプラットフォームによって送信された仮想カード及び他の友達によって共有された仮想カードを取得することによって五つの全てのタイプの仮想幸運カード、すなわち、「健康運」、「友情運」、「繁栄運」、「家族運」及び「財運」の受信に成功したときに、ユーザは、「五つの幸運」レッドパケットの受信の許可を取得する。
【００９９】
図５を参照すると、ＡＲクライアントは、「五つの幸運」の表示位置をユーザインタフェースに設けることができる。ユーザが、五つの全てのタイプの仮想幸運カード、すなわち、「健康運」、「友情運」、「繁栄運」、「家族運」及び「財運」の受信に成功したときに、「五つの幸運」の表示位置を、ユーザが「五つの幸運」レッドパケットを受信する権利を現在有することをユーザに気付かせるために、例えば、色によって強調することができる。
【０１００】
ユーザが「五つの幸運」レッドパケットの許可を取得した後、ユーザは、レッドパケット分配要求を支払いプラットフォームに送信するようにクライアントをトリガするために「五つの幸運」の表示位置を手動でトリガすることができる。代替的には、クライアントは、レッドパケット分配要求を支払いプラットフォームに自動的に送信することができる。この場合、レッドパケット分配要求は、五つのタイプの受信した仮想カードを含んでもよい。支払いプラットフォームは、要求を受信した後、要求の中の仮想カードのタイプを確認することができる。支払いプラットフォームが、確認後に要求が五つのタイプの仮想カードを含むと判断した場合、支払いプラットフォームは、提携する企業の企業資金勘定からの所定の量の「レッドパケット」をユーザに即座に分配することができる又は分配時間に到達した後に所定の量の「レッドパケット」をユーザに分配することができる。例えば、支払いプラットフォームは、「五つの幸運」レッドパケットの受信の許可を取得した全てのユーザの数を計数し、企業資金勘定の分配に利用できるレッドパケットの量を均等に分配することができる。
【０１０１】
ユーザが「レッドパケット」を受信した後、支払いプラットフォームは、レッドパケット分配結果をクライアントにプッシュすることができ、クライアントは、アクティビティインタフェースにおいて分配結果をユーザに対して表示することができる。
【０１０２】
図６を参照すると、レッドパケット分配結果において表示される情報は、このときに受信した量、このときのレッドパケットの送信者（支払いプラットフォームと提携する企業の名称）、このときに「五つの幸運」レッドパケットを受信する人の総数、このときの「五つの幸運」レッドパケットの分配規則（図７に示す分配規則）等を有してもよい。
【０１０３】
上述した実施の形態に対応して、本願は、装置の実施の形態も提供する。
【０１０４】
図７を参照すると、本願は、ＡＲベースの仮想オブジェクトを分配し、ＡＲクライアントに適用できる装置７０を提供する。図８を参照すると、ＡＲベースの仮想オブジェクトを分配する装置７０をホストするＡＲクライアントに含まれるハードウェアアーキテクチャは、一般的には、ＣＰＵ、メモリ、不揮発性メモリ、ネットワークインタフェース、内部バス等を有する。一例としてソフトウェアの実現をとると、ＡＲベースの仮想オブジェクトを分配する装置７０を、メモリにロードされたコンピュータプログラムをＣＰＵによって実行した後に形成されるソフトウェアとハードウェアの組合せである論理装置として一般的に理解することができる。装置７０は、
ユーザのイメージスキャン動作に応答して、リアルタイムイメージスキャンをユーザのオフライン環境で実行するスキャンモジュール７０１と、
スキャンによって取得したリアルシーンイメージに関連するイメージ識別を開始し、プリセットパターン識別子がリアルシーンイメージにおいて識別されるときに、ＡＲサーバから送信された電子証明書を取得し、取得した電子証明書を局所的にセーブし、電子証明書は、仮想オブジェクトを取得するために用いられる取得モジュール７０２と、
局所的にセーブされた電子証明書のカテゴリーカウントが予め決定されたしきい値に到達したか否かを判断する第１の判断モジュール７０３と、
局所的にセーブされた電子証明書のカテゴリーカウントが予め決定されたしきい値に到達した場合、予め決定されたしきい値に等しいカテゴリーカウントを有する複数の電子証明書を含む仮想オブジェクト分配要求に基づいて、ユーザに対して設定されたプリセット仮想オブジェクトからの仮想オブジェクトをＡＲサーバによって分配するために、仮想オブジェクト分配要求をＡＲサーバに送信する送信モジュール７０４と、
を有する。
【０１０５】
本実施の形態において、取得モジュール７０２は、
局所的なイメージ識別モデルに基づいて、スキャンされたリアルシーンイメージにおいてイメージ識別を行い、プリセットパターン識別子がリアルシーンイメージにおいて識別されたときにＡＲサーバに対する電子証明書を取得するための取得要求を送信し、
取得要求の受信に応答して、ＡＲサーバから送信された電子証明書を取得してもよい。
【０１０６】
本実施の形態において、取得モジュール７０２は、
局所的なイメージ識別モデルに基づいて、リアルシーンイメージにおけるイメージ識別をＡＲサーバによって行うために、スキャンされたリアルシーンイメージをＡＲサーバにアップロードし、
プリセットパターン識別子がリアルシーンイメージから識別されたときに、ＡＲサーバから送信された電子証明書を取得してもよい。
【０１０７】
本実施の形態において、取得モジュール７０２は、さらに、
他のユーザによって局所的に共有された電子証明書を取得し、取得した電子証明書を局所的にセーブしてもよい。
【０１０８】
本実施の形態において、取得モジュール７０２は、さらに、
取得した電子証明書に対応する表示画像を生成し、
生成された表示画像を、スキャンされたリアルシーンイメージのプリセットパターン識別子に対応する位置に拡張表示し、リアルシーンイメージの表示画像に対応する受信オプションを出力し、
受信オプションにおけるユーザのトリガ動作に応答して、生成された表示画像を、電子証明書に対応する局所的な表示位置に追加し、
電子証明書の異なるカテゴリーに対して生成された表示画像は、互いに異なり、電子証明書の異なるカテゴリーは、異なる表示位置に対応してもよい。
【０１０９】
本実施の形態において、取得モジュール７０２は、さらに、
取得した電子証明書の数を表示位置に示し、
電子証明書の実際の残りの数に基づいて数を更新してもよい。
【０１１０】
本実施の形態において、装置は、
表示画像におけるユーザのプリセットのトリガ動作が検出されたときに、ターゲットのユーザに対応する共有ページを入力し、共有ページは、複数のプリセットのターゲットアプリケーションを備え、表示画像に対応する電子証明書を、共有ページにおいてユーザによって指定されたターゲットアプリケーションを介して、ユーザにより指定された第三者ユーザと共有する（図７に示さない）共有モジュール７０５を更に備えてもよい。
【０１１１】
本実施の形態において、装置は、
ＡＲサーバによって送信された仮想オブジェクトの分配結果を受信するとともに分配結果をユーザに対して表示する（図７に示さない）第１の受信モジュール７０６を更に備えてもよく、
分配結果は、
仮想オブジェクトの数、仮想オブジェクトの送信者、仮想オブジェクトの受信者の数及び仮想オブジェクトの分配規則の一つ以上を備える。
【０１１２】
本実施の形態において、仮想オブジェクトは、仮想レッドパケットであってもよい。
【０１１３】
図９を参照すると、本願は、ＡＲベースの仮想オブジェクトを分配し、ＡＲサーバに適用できる装置９０を提供する。図１０を参照すると、ＡＲベースの仮想オブジェクトを分配する装置９０をホストするＡＲクライアントに含まれるハードウェアアーキテクチャは、一般的には、ＣＰＵ、メモリ、不揮発性メモリ、ネットワークインタフェース、内部バス等を有する。一例としてソフトウェアの実現をとると、ＡＲベースの仮想オブジェクトを分配する装置９０を、メモリにロードされたコンピュータプログラムをＣＰＵによって実行した後に形成されるソフトウェアとハードウェアの組合せである論理装置として一般的に理解することができる。装置９０は、
ユーザが、ＡＲクライアントを用いて、オフライン環境でリアルシーンイメージスキャンを実行するときに、ＡＲクライアントによって取得されたリアルシーンイメージにおいてプリセットパターン識別子が識別されたか否かを判断する第２の判断モジュール９０１と、
リアルシーンイメージにおいてプリセットパターン識別子が識別された場合、ＡＲクライアントに電子証明書を送信し、電子証明書は、仮想オブジェクトを取得するために用いられる送信モジュール９０２と、
ＡＲクライアントによって送信されたオブジェクト分配結果を受信し、オブジェクト分配結果は、オブジェクトを取得するための複数の電子証明書を含む第２の受信モジュール９０３と、
オブジェクト分配結果に含まれる電子証明書のカテゴリーカウントが予め決定されたしきい値に到達したか否かを判断する第３の判断モジュール９０４と、
オブジェクト分配結果に含まれる電子証明書のカテゴリーカウントが予め決定されたしきい値に到達した場合、プリセットの分配規則に基づいてユーザに設定されたプリセット仮想オブジェクトから仮想オブジェクトを分配する分配モジュール９０５と、
を有する。
【０１１４】
本実施の形態において、送信モジュール９０２は、
局所的なプリセットの電子証明書からの電子証明書をＡＲクライアントにランダムに送信してもよい、又は、
プリセットの送信規則に従って、局所的なプリセットの電子証明書からの電子証明書をＡＲクライアントに送信してもよい。
【０１１５】
本実施の形態において、ＡＲサーバからＡＲクライアントに送信される電子証明書のカテゴリーカウントは、予め決定されたしきい値より小さい。
【０１１６】
本実施の形態において、局所的なプリセットの電子証明書は、少なくとも低頻度通信セットと高頻度通信セットに予め分割され、
プリセットの送信規則に従って、局所的なプリセットの電子証明書からの電子証明書を前記ＡＲクライアントに送信するときに、送信モジュール９０２は、
ユーザの活動レベルを計算し、
ユーザの活動レベルがプリセットのしきい値に到達したか否かを判断し、
ユーザの活動レベルがプリセットのしきい値に到達した場合、低頻度通信セットからからの電子証明書又は低頻度通信セット及び高頻度通信セットからからの電子証明書をＡＲクライアントに送信し、送信された電子証明書は、低頻度通信セットの少なくとも一つの電子証明書を有するように更に構成される。
【０１１７】
本実施の形態において、送信モジュール９０２は、さらに、
ユーザに対する仮想オブジェクトの分配を遂行したときに、ＡＲクライアントが仮想オブジェクトの分配結果をユーザに対して表示するために、仮想オブジェクトの分配結果をＡＲクライアントに送信し、
分配結果は、
仮想オブジェクトの数、仮想オブジェクトの送信者、仮想オブジェクトの受信者の数及び仮想オブジェクトの分配規則の一つ以上を有する。
【０１１８】
本実施の形態において、仮想オブジェクトは、仮想レッドパケットであってもよい。
【０１１９】
装置の実施の形態は、方法の実施の形態に略対応する。したがって、装置の実施の形態の関連の部分については、方法の実施の形態の説明の部分を参照されたい。上述した装置の実施の形態は、単なる例示に過ぎない。個別の部分として示したユニットは、物理的に切り離されても物理的に切り離されてなくてもよく、ユニットとして示した構成要素は、物理的なユニットであっても物理的なユニットでなくてもよく、一か所に配置されてもよい又は複数のネットワークユニットに分散してもよい。モジュールの一部又は全てを、本発明の目的を実現するために物理的要件に従って選択してもよい。当業者は、創造的な活動を行うことなく本発明の実施の形態を理解するとともに実現することができる。
【０１２０】
上述した実施の形態で説明したシステム、装置、モジュール又はユニットを、コンピュータチップ若しくはエンティティによって具体的に実現することができる又は所定の機能を有する製品によって実現することができる。典型的な実現する装置は、コンピュータであり、コンピュータの特定の形態は、パーソナルコンピュータ、ラップトップコンピュータ、携帯電話、カメラ付き電話、スマートフォン、携帯端末、メディアプレーヤ、ナビゲーション装置、ｅメール送受信機、ゲームコンソール、タブレットコンピュータ、ウエアラブルデバイス又はその組合せであってもよい。
【０１２１】
本願の他の実施の形態は、ここに開示した本願の明細書及び実施の考察から当業者には明らかである。本願は、本願の一般的な原理に従うとともに従来既知である又は慣行的なものとしての本願からのそのような逸脱を含む本願の変形、使用又は適用をカバーすることを意図する。明細書及び例を例示として考察することを意図し、本願の真の範囲及び精神を特許請求の範囲に示した。
【０１２２】
本願は、上述するとともに添付図面に示した正確な構成に限定されるものではなく、種々の変更及び変形が本願の範囲を逸脱することなく可能である。本願の範囲が特許請求の範囲によってのみ限定されることを意図する。
【０１２３】
上述した説明は、本願の単なる例示的な実施の形態であり、本願を限定することを意図しない。本願の精神及び原理を逸脱することなく行われる任意の変更、等価的な置換又は改善は、本願の保護範囲内にあるべきである。
【図１】
0006856831.tif 000002
【図２】
0006856831.tif 000003
【図３】
0006856831.tif 000004
【図４】
0006856831.tif 000005
【図５】
0006856831.tif 000006
【図６】
0006856831.tif 000007
【図７】
0006856831.tif 000008
【図８】
0006856831.tif 000009
【図９】
0006856831.tif 000010
【図１０】
0006856831.tif 000011